(57)【特許請求の範囲】
【請求項１】
一体の灯体内に、
ヘッドランプ用バルブと、
前記ヘッドランプ用バルブの光を反射するヘッドランプ用リフレクタと、
前記ヘッドランプ用バルブより車幅中央側に配置されたポジションランプ用バルブと、
前記ポジションランプ用バルブの前方に設けられたインナーレンズと、
前記灯体と前記ヘッドランプ用リフレクタとの隙間を前記ポジションランプ用バルブの部分を除いて覆うとともに前記ポジションランプ用バルブの光の一部を前記ヘッドランプ用リフレクタへ漏らすための開口を備えたエクステンションと
を有することを特徴とする車両用ヘッドランプ装置。
【請求項２】
前記開口には、前記インナーレンズと一体又は別体に製作したレンズが設けられていることを特徴とする請求項１記載の車両用ヘッドランプ装置。
【請求項３】
前記開口に設けられるレンズには、前記ポジションランプ用バルブの光を拡散させて前記ヘッドランプ用リフレクタの広い範囲に光を照射するステップが形成されていることを特徴とする請求項２記載の車両用ヘッドランプ装置。
【請求項４】
前記ポジションランプ用バルブは、車両前方への光の照射と前記開口を介しての前記ヘッドランプ用リフレクタへの光の照射とのために車両前方に対して角度をもって配置されていることを特徴とする請求項１〜３のいずれか１項に記載の車両用ヘッドランプ装置。
【発明の詳細な説明】
【０００１】
【発明の属する技術分野】
本発明は、一体の灯体内にヘッドランプ用バルブとポジションランプ用バルブとを備えたコンビネーションタイプの車両用ヘッドランプ装置に関する。
【０００２】
【従来の技術】
従来から、車両用ヘッドランプ装置では、主にランプ装置の製作コスト削減のため、一体の灯体内にヘッドランプ用バルブとポジションランプ用バルブとを備えたコンビネーションタイプのものが提案されている。この場合、ポジションランプ用バルブは、一体の灯体内で、ヘッドランプ用バルブより車幅中央側に配置されることがよく行われる。これは、ポジションランプの大きさがヘッドランプの大きさより小型であることから、ポジションランプを車幅中央側に設ける方がヘッドランプ装置の見栄えが良くなり、ひいては車両前面のデザイン性が向上すると考えられるからである。
【０００３】
しかしながら一方において、ポジションランプを車幅中央側に設けると、ポジションランプ本来の車幅灯としての機能が減じられるという問題がある。これに対処するため、ヘッドランプ用リフレクタにヘッドランプ用バルブと並べてポジションランプ用バルブを設け、ポジションランプの点灯をヘッドランプ用リフレクタを用いて行うヘッドランプ装置が開発されている。ところが、ポジションランプ用バルブをヘッドランプ用リフレクタに設けると、今度はその分、ヘッドランプ点灯時におけるヘッドランプ用リフレクタの反射有効面積が減少し、ヘッドランプの照度低下をもたらすという不都合が生じてしまう。
【０００４】
この不都合を取り除くため、例えば特開平１０−１１６５０４号公報には、ポジションランプ用バルブをヘッドランプ用リフレクタの外側前方で且つエクステンションの背面となる位置に設け、さらにポジションランプ用バルブの光をヘッドランプ用リフレクタに向かって反射する反射鏡を設けるようにした技術が開示されている。この技術では、ポジションランプの点灯時、ポジションランプ用バルブの光が上記反射鏡で反射され、この反射された光がヘッドランプ用リフレクタで再反射され、車両前方に放射される。これにより、上述のようなヘッドランプ用リフレクタの反射有効面積の減少が抑えられ、ヘッドランプの照度低下は防止される。
【０００５】
【発明が解決しようとする課題】
しかしながら、従来のような反射鏡を用いる方法では、ポジションランプ用バルブの光が有効に利用されないという欠点がある。これは、ポジションランプ点灯時、ポジションランプ用バルブの光が反射鏡で反射される際に減衰され、あるいはエクステンション等の周囲の部品に照射され吸収されるからである。このため、上述のような従来のヘッドランプ装置では、ヘッドランプの照度低下は防止されるものの、ポジションランプ用バルブの光が有効に利用されないことから、ポジションランプの視認性が低下するという問題がある。
【０００６】
従って本発明の目的は、ポジションランプ用バルブの光を有効に利用した車両用ヘッドランプ装置を提供することにある。
【０００７】
【課題を解決するための手段】
上記目的を達成するため、本発明の車両用ヘッドランプ装置は、一体の灯体内に、ヘッドランプ用バルブと、前記ヘッドランプ用バルブの光を反射するヘッドランプ用リフレクタと、前記ヘッドランプ用バルブより車幅中央側に配置されたポジションランプ用バルブと、前記ポジションランプ用バルブの前方に設けられたインナーレンズと、前記灯体と前記ヘッドランプ用リフレクタとの隙間を前記ポジションランプ用バルブの部分を除いて覆うとともに前記ポジションランプ用バルブの光の一部を前記ヘッドランプ用リフレクタへ漏らすための開口を備えたエクステンションとを有して構成される。
【０００８】
このように構成することにより、ポジションランプ用バルブの光は、ポジションランプ用バルブの前方に設けられたインナーレンズを通して車両前方に放射され、且つエクステンションに備えられた開口から漏れ出したポジションランプ用バルブの一部の光がヘッドランプ用リフレクタに反射され、灯体内はトワイライト化される。これにより、ポジションランプ用バルブの光は有効に利用され、ポジションランプの視認性が向上する。しかも、灯体内のトワイライト化に専用のトワイライト用バルブは要しない。
また、前記開口には、前記インナーレンズと一体又は別体に製作したレンズが設けられていることが好ましい。
さらに、前記開口に設けられるレンズには、前記ポジションランプ用バルブの光を拡散させて前記ヘッドランプ用リフレクタの広い範囲に光を照射するステップが形成されていることが好ましい。
また、記ポジションランプ用バルブは、車両前方への光の照射と前記開口を介しての前記ヘッドランプ用リフレクタへの光の照射とのために車両前方に対して角度をもって配置されていることが好ましい。
【０００９】
【発明の実施の形態】
図１は、本発明に係る車両用ヘッドランプ装置の外観の一例を示す図である。図のように、本ヘッドランプ装置１は、一体の灯体内にヘッドランプ２と、ポジションランプ３と、ターンシグナルランプ４とを備えたコンビネーションタイプのヘッドランプである。通常、黄昏時には、車両はヘッドランプ２を点灯する前に、まずポジションランプ３を点灯して走行するが、本装置では、ポジションランプ３の点灯に伴って、後述するように、ポジションランプ用バルブの光の一部がエクステンションに開けられた開口を介してヘッドランプ用リフレクタに照射され、ヘッドランプ２の部分がトワイライト化される。
【００１０】
図２は、図１の車両用ヘッドランプ装置のＡ−Ａ断面を示す図である。図示のとおり、一体の灯体５内には、ヘッドランプ用バルブ６と、ポジションランプ用バルブ７とが配置されている。ヘッドランプ用バルブ６には、その光を前方に効率良く反射するようにヘッドランプ用リフレクタ８が灯体内部に沿って設けられている。一方、ポジションランプ用バルブ７には、その光を前方に集光するインナーレンズ９が設けられている。また、灯体５とヘッドランプ用リフレクタ８との隙間にはエクステンション１０が配置され、灯体５の前方には透光性に優れた透明のヘッドランプレンズアウター１２が取り付けられる。
【００１１】
ここでエクステンション１０は、図のように、前方からみてポジションランプ用バルブ７の部分を除いて、灯体５とヘッドランプ用リフレクタ８との隙間を覆うように配置されるが、ポジションランプ用バルブ７の近傍には、ポジションランプ用バルブ７の光の一部をヘッドランプ用リフレクタ８へ漏らすための開口１１を備える。この場合、見栄え確保のため、この開口１１を通してポジションランプ用バルブ７のソケットが見えないようにエクステンション１０の配置が工夫される。
【００１２】
ポジションランプ点灯時には、ポジションランプ用バルブ７の光はインナーレンズ９を介して車両前方に照射されるとともに、その光の一部がエクステンション１０の開口１１を介してヘッドランプ用リフレクタ８に照射され、これにより灯体内がトワイライト化される。ここで、開口１１の形状および大きさは特に限定されないが、灯体内のトワイライト状態を十分確保できるように適宜選択される。
【００１３】
また、この開口１１にはレンズを設けることができる。このレンズは、インナーレンズ９と一体に製作したものでもよいし、またそれとは別個に製作したものでもよい。この場合、開口１１部分のレンズにステップを形成し、これによりポジションランプ用バルブ７の光を拡散させてヘッドランプ用リフレクタ８の広い範囲に光を照射するのが望ましい。さらに、ポジションランプ用バルブ７は、前方への光の照射と開口１１を介してのヘッドランプ用リフレクタ８への光の照射とを考慮して、図のように前方に対して所定角度をもって配置するのが好ましいが、この角度は特に限定されるものではなく適宜選択される。
【００１４】
【発明の効果】
本発明によれば、ポジションランプ用バルブの光を有効に利用した車両用ヘッドランプ装置を得ることができる。また、専用のトワイライト用バルブを設けることなく灯体内のトワイライト化を実現することができる。
【図面の簡単な説明】
【図１】本発明に係る車両用ヘッドランプ装置の外観の一例を示す図である。
【図２】図１のヘッドランプ装置のＡ−Ａ断面を示す図である。
【符号の説明】
１  ヘッドランプ装置
２  ヘッドランプ
３  ポジションランプ
４  ターンシグナルランプ
５  灯体
６  ヘッドランプ用バルブ
７  ポジションランプ用バルブ
８  ヘッドランプ用リフレクタ
９  インナーレンズ
１０  エクステンション
１１  開口
１２  ヘッドランプレンズアウター
【図１】
0003965840.tif 000002
【図２】
0003965840.tif 000003